(57)【要約】【課題】液体配管の湾曲部におけるガスの滞留を好適に抑制する。【解決手段】逆Ｕ字状の湾曲部２０ｃを備える液体配管内に滞留したガスを抜くためのガス抜き構造であって、入口が湾曲部２０ｃに位置するとともに出口が液体配管の下流端２０ｂに位置するガス抜き流路を液体配管の内部に区画するガス抜きガイド５０と、ガス抜き流路以外の部分を流通する液体の流量を、ガス抜き流路を流通する液体の流量よりも小さくする流量調整部とを有する。【選択図】図５
2020172781.tif 000002
【特許請求の範囲】
【請求項１】
逆Ｕ字状の湾曲部を備える液体配管内に滞留したガスを抜くためのガス抜き構造であって、
入口が前記湾曲部に位置するとともに出口が前記液体配管の下流端に位置するガス抜き流路を前記液体配管の内部に区画するガス抜きガイドと、
前記ガス抜き流路以外の部分を流通する液体の流量を、前記ガス抜き流路を流通する液体の流量よりも小さくする流量調整部とを有することを特徴とするガス抜き構造。
【請求項２】
前記流量調整部は、前記ガス抜き流路以外の部分を流通する液体を排出する排出部を備える請求項１に記載のガス抜き構造。
【請求項３】
逆Ｕ字状の湾曲部を備える液体配管内に滞留したガスを抜くためのガス抜き部材であって、
入口が前記湾曲部に位置するとともに出口が前記液体配管の下流端に位置するガス抜き流路を前記液体配管の内部に区画するガス抜きガイドと、
前記ガス抜き流路以外の部分を流通する液体の流量を、前記ガス抜き流路を流通する液体の流量よりも小さくする流量調整部とを有することを特徴とするガス抜き部材。
【請求項４】
前記流量調整部は、前記ガス抜き流路以外の部分を流通する液体を排出する排出部を備える請求項３に記載のガス抜き部材。
【請求項５】
請求項３又は４に記載のガス抜き部材と、
前記液体配管としての吐水管とを備える水栓。
【発明の詳細な説明】
【技術分野】
【０００１】
本発明は、ガス抜き構造、ガス抜き部材及びガス抜き部材を備える水栓に関する。
【背景技術】
【０００２】
特許文献１は、キッチンや洗面所に設置して用いられる水栓について記載している。
図９に示すように、水栓８０は、水栓本体８１と、水栓本体８１の上部に接続された吐水管８２とを有する。吐水管８２は、他端側の端部である上流端８２ａが水栓本体８１から立設するとともに、一端側の端部である下流端８２ｂに向かって逆Ｕ字状に湾曲した湾曲部８２ｃを備えている。吐水管８２の下流端８２ｂは斜め下方を向くように構成されている。吐水管８２は、水栓本体８１のレバー（図示省略）を操作して切換弁（図示省略）を操作することにより、下流端８２ｂからの水Ｗ又は湯の吐止水を切り換えることができるように構成されている。
【先行技術文献】
【特許文献】
【０００３】
【特許文献１】特開２００５−２８２２５０号公報
【発明の概要】
【発明が解決しようとする課題】
【０００４】
図９に示すように、特許文献１の水栓８０では、吐水管８２（液体配管）の湾曲部８２ｃにエア等のガスＧが滞留する可能性がある。湾曲部８２ｃにガスＧが滞留すると、吐水時に異音が生じたり、止水時にガスＧの膨張によって吐水管８２から水垂れが生じたりする虞があった。また、吐水中にガスＧが絡んで吐水の乱れが発生する虞もあった。本発明は、こうした実情に鑑みてなされたものであり、その目的は、液体配管の湾曲部におけるガスの滞留を好適に抑制することができるガス抜き構造、ガス抜き部材及びガス抜き部材を備える水栓を提供することにある。
【課題を解決するための手段】
【０００５】
上記課題を解決するためのガス抜き構造は、逆Ｕ字状の湾曲部を備える液体配管内に滞留したガスを抜くためのガス抜き構造であって、入口が前記湾曲部に位置するとともに出口が前記液体配管の下流端に位置するガス抜き流路を前記液体配管の内部に区画するガス抜きガイドと、前記ガス抜き流路以外の部分を流通する液体の流量を、前記ガス抜き流路を流通する液体の流量よりも小さくする流量調整部とを有することを要旨とする。
【０００６】
この構成によれば、流量調整部を有することにより、液体配管内を流通する液体は、ガス抜き流路内を優先的に流通するようになる。また、ガス抜き流路の入口が湾曲部に位置するとともに、ガス抜き流路の出口が液体配管の下流端に位置することにより、湾曲部に滞留したガスを、液体配管内の液体の圧力を利用してガス抜き流路内に流通させて、液体配管の下流端から排出することができる。そのため、液体配管内の湾曲部におけるガスの滞留を好適に抑制することができる。
【０００７】
上記ガス抜き構造について、前記流量調整部は、前記ガス抜き流路以外の部分を流通する液体を排出する排出部を備えることが好ましい。流量調整部が排出部を備えることにより、ガス抜き流路以外の部分に液体が滞留することを抑制することができる。
【０００８】
上記課題を解決するためのガス抜き部材は、逆Ｕ字状の湾曲部を備える液体配管内に滞留したガスを抜くためのガス抜き部材であって、入口が前記湾曲部に位置するとともに出口が前記液体配管の下流端に位置するガス抜き流路を前記液体配管の内部に区画するガス抜きガイドと、前記ガス抜き流路以外の部分を流通する液体の流量を、前記ガス抜き流路を流通する液体の流量よりも小さくする流量調整部とを有することを要旨とする。
【０００９】
この構成によれば、流量調整部を有することにより、液体配管内を流通する液体は、ガス抜き流路内を優先的に流通するようになる。また、ガス抜き流路の入口が湾曲部に位置するとともに、ガス抜き流路の出口が液体配管の下流端に位置することにより、湾曲部に滞留したガスを、液体配管内の液体の圧力を利用してガス抜き流路内に流通させて、液体配管の下流端から排出することができる。そのため、液体配管内の湾曲部におけるガスの滞留を好適に抑制することができる。
【００１０】
上記ガス抜き部材について、前記流量調整部は、前記ガス抜き流路以外の部分を流通する液体を排出する排出部を備えることが好ましい。流量調整部が排出部を備えることにより、ガス抜き流路以外の部分に液体が滞留することを抑制することができる。
【００１１】
前記ガス抜き部材と、前記液体配管としての吐水管とを備える水栓であることが好ましい。この構成によれば、上記ガス抜き部材の機能を奏する水栓とすることができる。
【発明の効果】
【００１２】
本発明のガス抜き構造、ガス抜き部材及びガス抜き部材を備える水栓によれば、液体配管の湾曲部におけるガスの滞留を好適に抑制することができる。
【図面の簡単な説明】
【００１３】
【図１】水栓の斜視図。
【図２】液体配管の分解斜視図。
【図３】液体配管の断面図。
【図４】流量調整部の断面図。
【図５】（ａ）〜（ｃ）は、ガス抜き構造の機構を示す断面図。
【図６】変更例の液体配管の断面図。
【図７】別の変更例の流量調整部の断面図。
【図８】さらに別の変更例の液体配管の断面図。
【図９】従来技術の水栓の部分断面図。
【発明を実施するための形態】
【００１４】
ガス抜き構造、ガス抜き部材及びガス抜き部材を備える水栓の実施形態を説明する。
図１に示すように、水栓１０は、キッチンキャビネットのカウンタである壁部１１に設置されている。水栓１０は、壁部１１に固定された水栓本体１２と、水栓本体１２の上部に立設した液体配管としての吐水管２０とを備える。水栓本体１２は、筒状部１２ａと、筒状部１２ａ内に配置された切換弁（図示省略）と、筒状部１２ａの側面に取り付けられたレバー１２ｂとを備えている。吐水管２０の他端側の端部である上流端２０ａが、水栓本体１２の筒状部１２ａの上部に接続されている。吐水管２０は、一端側の端部である下流端２０ｂに向かって逆Ｕ字状に湾曲した湾曲部２０ｃを備えるとともに、下流端２０ｂが斜め下方を向くように構成されている。言い換えれば、吐水管２０は、上方が凸となるように湾曲した湾曲部２０ｃを有しており、所謂、グースネック型に構成されている。吐水管２０は、水栓本体１２のレバー１２ｂを操作して切換弁を操作することにより、下流端２０ｂからの水又は湯の吐止水を切り換えることができるように構成されている。
【００１５】
図２、３に示すように、吐水管２０の上流端２０ａには、管継手２１が挿入されている。この管継手２１を介して、吐水管２０の上流端２０ａは水栓本体１２に接続されている。吐水管２０の下流端２０ｂには、吐水口部材３０と、押さえ部材４０と、ガス抜きガイド５０と、整流部材６０とが取り付けられている。
【００１６】
吐水管２０の下流端２０ｂに取り付けられた各部材について説明する。
吐水口部材３０について説明する。
図４に示すように、吐水口部材３０は、吐水管２０の下流端２０ｂに挿入された状態で吐水管２０に取り付けられている。吐水口部材３０は、円筒状に構成されており、円形の孔部３０ａが軸方向に貫通している。吐水口部材３０の軸方向一端側の端部には、第１筒部３１を備える。第１筒部３１の内周には第１ネジ溝３１ａが形成されており、この第１ネジ溝３１ａに後述する整流部材６０が螺合した状態で取り付けられる。
【００１７】
第１筒部３１よりも軸方向の他端側には、第１筒部３１よりも内径の小さな第２筒部３２を備える。第２筒部３２の内周には、第２ネジ溝３２ａが形成されており、この第２ネジ溝３２ａに後述する押さえ部材４０が螺合した状態で取り付けられる。第２筒部３２よりも軸方向の他端側である吐水口部材３０の他端側の端部には、径方向内側に延びる天壁３３が設けられている。天壁３３の中央には、円形の開口孔３３ａが設けられている。開口孔３３ａの内径は、後述するガス抜きガイド５０の管状部５１の外径よりも若干大きく構成されている。吐水口部材３０の材質は特に限定されないが、金属製であることが好ましい。
【００１８】
吐水口部材３０を吐水管２０に取り付ける方法としては特に限定されないが、例えば、吐水口部材３０を吐水管２０にろう接したり、接着剤を用いて接合したりする方法を採用することができる。吐水口部材３０を取り付けることによって、吐水管２０と吐水口部材３０との間が水密状態となる。
【００１９】
押さえ部材４０について説明する。
図２、４に示すように、押さえ部材４０は、円筒状に構成されており、円形の孔部４０ａが軸方向に貫通している。孔部４０ａの内径は、ガス抜きガイド５０の管状部５１の内径と略等しく構成されている。押さえ部材４０の軸方向他端側の端面４０ｂは平面で構成されている。押さえ部材４０の外周にはネジ溝４０ｃが形成されており、このネジ溝４０ｃが吐水口部材３０の第２ネジ溝３２ａに螺合することによって、押さえ部材４０は吐水口部材３０に取り付けられる。押さえ部材４０の材質は特に限定されないが、金属製であることが好ましい。
【００２０】
ガス抜きガイド５０について説明する。
図２、４に示すように、ガス抜きガイド５０は、管状部５１と、管状部５１の一端側の端部である下流端５０ｂにおいて径方向外側に突出したフランジ部５２とを備える。フランジ部５２の外径は、吐水口部材３０の第２筒部３２の内径よりも若干小さく構成されている。管状部５１は、他端側の端部である上流端５０ａに向かって湾曲するように構成されている。管状部５１の軸方向において、フランジ部５２から所定の間隔をおいた位置に、管状部５１を貫通する貫通孔５１ａが２個設けられている。貫通孔５１ａは、互いに対向する位置に設けられている。フランジ部５２と貫通孔５１ａとの間隔は、吐水口部材３０の天壁３３の厚さよりも若干大きくなるように構成されている。ガス抜きガイド５０の材質は特に限定されないが、金属製であることが好ましい。
【００２１】
整流部材６０について説明する。
図２に示すように、整流部材６０は、円筒状に構成されている。整流部材６０の軸方向の一端側の端部には第１網状部６１が設けられているとともに、軸方向の他端側の端部には第２網状部６２が設けられており、整流部材６０の内部は中空状に構成されている。第２網状部６２の網目は、第１網状部６１の網目よりも細かく構成されており、第２網状部６２の表面において、異物を補足しやすいように構成されている。整流部材６０の外周にはネジ溝６０ａが形成されており、このネジ溝６０ａが吐水口部材３０の第１ネジ溝３１ａに螺合することによって、整流部材６０は吐水口部材３０に取り付けられる。吐水管２０内の液体としての水が整流部材６０を通過することによって、水の流通状態を整流化することができるように構成されている。整流部材６０の材質は特に限定されないが、樹脂製であることが好ましい。
【００２２】
各部材を組み付ける手順について説明する。
図４に示すように、吐水管２０の下流端２０ｂに吐水口部材３０をろう接して取り付ける。次に、ガス抜きガイド５０の管状部５１を、吐水口部材３０の孔部３０ａに挿入する。具体的には、ガス抜きガイド５０の管状部５１が、吐水口部材３０の天壁３３の開口孔３３ａを挿通して、ガス抜きガイド５０のフランジ部５２が、吐水口部材３０の天壁３３に当接した状態とする。この状態で、押さえ部材４０のネジ溝４０ｃを吐水口部材３０の第２ネジ溝３２ａに螺合させて、押さえ部材４０を吐水口部材３０に取り付ける。押さえ部材４０を取り付けることにより、押さえ部材４０の軸方向他端側の端面４０ｂと、吐水口部材３０の天壁３３との間に、ガス抜きガイド５０のフランジ部５２が挟持される。これにより、吐水管２０からのガス抜きガイド５０の離脱が抑制される。また、吐水口部材３０とガス抜きガイド５０のフランジ部５２と押さえ部材４０との間が水密状態となる。さらに、吐水口部材３０の第１ネジ溝３１ａに、整流部材６０のネジ溝６０ａを螺合させて、整流部材６０を吐水口部材３０に取り付ける。
【００２３】
以上の手順により、各部材は組み付けられる。各部材を組み付ける手順は上記手順に限定されず、適宜変更して組み付けてもよい。
図３に示すように、各部材が組み付けられることにより、ガス抜きガイド５０の下流端５０ｂが吐水管２０の下流端２０ｂに位置するとともに、ガス抜きガイド５０の上流端５０ａが吐水管２０の湾曲部２０ｃに位置した状態となる。具体的には、ガス抜きガイド５０の上流端５０ａは、吐水管２０の湾曲部における頂点Ｐ付近の領域である頂上領域Ｒに位置し、吐水管２０の内面には接触せずに吐水管２０の内面との間に所定の間隔をおいた状態となる。
【００２４】
ここで、吐水管２０の一端側の端部である下流端２０ｂは、吐水管２０の下流側の先端のみを意味するのではなく、吐水管２０の下流側における先端周辺の部分を含むものとする。そのため、ガス抜きガイド５０の下流端５０ｂが吐水管２０の下流端２０ｂに位置するとは、ガス抜きガイド５０の下流端５０ｂが吐水管２０の下流端２０ｂと同じ位置に組み付けられた態様に限定されず、ガス抜きガイド５０の下流端５０ｂが吐水管２０の下流側の先端周辺に位置する態様を含むものとする。具体的には、図３に示すように、ガス抜きガイド５０の下流端５０ｂが、吐水管２０の下流端２０ｂから吐水口部材３０の長さ程度、吐水管２０の上流端２０ａ側に位置する態様を含むものとする。
【００２５】
図３に示すように、吐水管２０の湾曲部２０ｃは、吐水管２０において上方に凸となるように逆Ｕ字状に湾曲した箇所を意味するものとする。具体的には、図３に示すように、湾曲部２０ｃは、吐水管２０における直線状の箇所と湾曲した箇所との境界線Ｔ１、Ｔ２より上方の湾曲した箇所を意味するものとする。さらに、吐水管２０の湾曲部２０ｃにおける頂上領域Ｒは、水栓本体１２の上部に吐水管２０を立設させた状態で、吐水管２０の鉛直方向の頂点Ｐを通る横断面（図３の上下方向の断面）における最も鉛直方向下方に位置する内周面の地点を地点Ｓとした際に、地点Ｓを含む仮想水平面Ｍよりも上方に位置する領域を意味するものとする。
【００２６】
本実施形態の作用について説明する。
図５（ａ）に示すように、吐水管２０の上流端２０ａから吐水管２０の内部に水Ｗを流入させると、吐水管２０内の水位は、経時的に上昇する。
【００２７】
図５（ｂ）に示すように、さらに水Ｗを流入させると、吐水管２０内の水Ｗは湾曲部２０ｃを乗り越えて吐水管２０の下流端２０ｂ側に流入する。吐水管２０と吐水口部材３０との間が水密になっているとともに、吐水口部材３０、ガス抜きガイド５０のフランジ部５２及び押さえ部材４０の間が水密になっていることにより、吐水管２０の下流端２０ｂ側におけるガス抜きガイド５０の管状部５１の外周側に水Ｗが溜まり始める。吐水管２０の下流端２０ｂ側の水Ｗの一部は、ガス抜きガイド５０の管状部５１に設けられた貫通孔から排出される。ガス抜きガイド５０の貫通孔から排出される水Ｗの流量よりも、吐水管２０の上流端２０ａから流入する水Ｗの流量を多くすることにより、吐水管２０内の水Ｗの量は経時的に多くなる。吐水管２０内の水Ｗの量が多くなるにつれて、吐水管２０内のガスＧは、吐水管２０内の水圧で押し出される形となり、ガス抜きガイド５０の上流端５０ａからガス抜きガイド５０内に流入して、吐水管２０の下流端２０ｂから排出される。
【００２８】
吐水管２０内の水Ｗの量がさらに多くなると、吐水管２０内の水位がガス抜きガイド５０の上流端５０ａに到達する。
図５（ｃ）に示すように、さらに水Ｗの量が多くなると、吐水管２０内のガスＧは、ガス抜きガイド５０内を優先的に流れる水Ｗの流れに引き込まれて、ガス抜きガイド５０内に流入し、吐水管２０の下流端２０ｂから全て排出される。これにより、吐水管２０内は水Ｗで充填された状態となる。
【００２９】
以上のようにして、吐水管２０内のガスＧは吐水管２０の下流端２０ｂから排出される。そのため、吐水口部材３０、押さえ部材４０、及び、ガス抜きガイド５０によって、ガス抜き構造、及び、ガス抜き部材が構成される。また、ガス抜きガイド５０の管状部５１の内部は、ガス抜き流路として機能し、吐水管２０の内面とガス抜きガイド５０の管状部５１の外面との間が、ガス抜き流路以外の部分となる。言い換えれば、ガス抜きガイド５０の管状部５１によって、ガス抜き流路が区画される。ガス抜きガイド５０の上流端５０ａがガス抜き流路の入口となり、ガス抜きガイド５０の下流端５０ｂがガス抜き流路の出口となる。
【００３０】
また、吐水口部材３０、押さえ部材４０、及び、ガス抜きガイド５０が、ガス抜き流路以外の部分を流通する水の流量を、ガス抜き流路を流通する水の流量よりも小さくする流量調整部として機能する。ガス抜きガイド５０の管状部５１に設けられた貫通孔５１ａが、ガス抜き流路以外の部分を流通する水を排出する排出部として機能する。
【００３１】
本実施形態の効果について説明する。
（１）ガス抜き流路以外の部分を流通する水の流量を、ガス抜き流路を流通する水の流量よりも小さくする流量調整部を有することにより、吐水管２０内を流通する水は、ガス抜き流路内を優先的に流通するようになる。また、ガス抜き流路の入口が湾曲部２０ｃの頂上領域Ｒに位置するとともに、ガス抜き流路の出口が吐水管２０の下流端２０ｂに位置することにより、湾曲部２０ｃに滞留したガスを、吐水管２０内の水圧を利用してガス抜き流路内に流通させて、吐水管２０の下流端２０ｂから排出することができる。特に、吐水管２０の頂上領域Ｒは、ガスが最も滞留しやすい箇所であるため、ガス抜きガイド５０の上流端５０ａが吐水管２０の頂上領域Ｒに位置することにより、より効率良く吐水管２０内のガスを排出することができる。したがって、吐水管２０内の湾曲部２０ｃにおけるガスの滞留を抑制することができる。
【００３２】
（２）ガス抜きガイド５０の管状部５１は、ガス抜き流路以外の部分を流通する水を排出する貫通孔５１ａを備える。貫通孔５１ａを備えることにより、ガス抜き流路以外の部分に水が滞留することを抑制することができる。また、吐水管２０に流入した水の一部を貫通孔５１ａを通過させて吐水管の下流端から排出することができるため、水栓本体１２のレバー１２ｂを操作した際に、吐水管２０の下流端２０ｂから予備的な吐水を迅速に行うことができる。貫通孔５１ａを有していない態様に比べて、吐水が開始されるまでのタイムラグを短くすることができるため、吐水管２０の下流端２０ｂからの吐水を、よりタイムリーに行うことができる。
【００３３】
本実施形態は、以下のように変更して実施することができる。本実施形態及び以下の変更例は、技術的に矛盾しない範囲で互いに組み合わせて実施することができる。
・ガス抜きガイド５０の管状部５１の上流端５０ａは、吐水管２０の湾曲部２０ｃにおける内面に接触していてもよい。湾曲部２０ｃの内面としては、吐水管２０の上面であることが好ましい。
【００３４】
・本実施形態では、図３に示すように、ガス抜きガイド５０の管状部５１の上流端５０ａは、頂上領域Ｒにおける吐水管２０の頂点Ｐよりも吐水管２０の上流端２０ａ側に位置していたが、この態様に限定されない。
【００３５】
図６に示すように、ガス抜きガイド５０の管状部５１の上流端５０ａは、頂上領域Ｒにおける吐水管２０の頂点Ｐよりも吐水管２０の下流端２０ｂ側に位置していてもよい。また、吐水管２０の頂点Ｐの鉛直方向の真下に位置していてもよい。
【００３６】
・ガス抜きガイド５０の管状部５１の上流端５０ａは、吐水管２０の湾曲部２０ｃにおける頂上領域Ｒ以外に位置していてもよい。頂上領域Ｒ以外に位置する場合、ガス抜きガイド５０の上流端５０ａは、湾曲部２０ｃの頂点Ｐよりも吐水管２０の下流端２０ｂ側に位置することが好ましい。管状部５１の上流端５０ａが頂上領域Ｒ以外に位置していても、ガス抜きガイド５０内を優先的に流れる水の流れによって、ガス抜きガイド５０内にガスが引き込まれるように構成されていれば、湾曲部２０ｃにおけるガスの滞留を抑制することができる。
【００３７】
・ガス抜きガイド５０は、金属製で構成された態様に限定されない。ガス抜きガイド５０は、例えば、柔軟性を有する樹脂製で構成されていてもよい。柔軟性を有する樹脂製で構成されていることにより、吐水管２０の形状に合せて、ガス抜きガイド５０の管状部５１を変形させながら挿入することが可能になる。
【００３８】
・本実施形態では、ガス抜き流路以外の部分を流通する水を排出する排出部としての貫通孔５１ａが、ガス抜きガイド５０の管状部５１に設けられていたが、貫通孔を設ける位置は、ガス抜きガイド５０の管状部５１に限定されない。また、貫通孔の数も２個に限定されず、適宜設定することができる。
【００３９】
図７に示すように、例えば、吐水口部材３０の外周側に軸方向に貫通した貫通孔３０ｂを２個設け、この貫通孔３０ｂを通じて、吐水管２０の一端側の内面と、ガス抜きガイド５０の管状部５１の外面との間隙に滞留した水を排出することができるように構成されていてもよい。すなわち、排出部が吐水口部材３０に設けられていてもよい。
【００４０】
・ガス抜きガイド５０の管状部５１は、軸方向に沿ってスリットが形成されていてもよい。言い換えれば、ガス抜きガイド５０の管状部５１における横断面は、下向きの断面Ｃ字状に構成されていてもよい。この態様では、断面Ｃ字状の管状部５１の内側がガス抜き流路となり、スリットが排出部となる。
【００４１】
・ガス抜きガイド５０の管状部５１に設けられた貫通孔５１ａは省略されていてもよい。すなわち、排出部は省略されていてもよく、吐水管２０の一端側の内面と、ガス抜きガイド５０の管状部５１の外面との間に滞留した水が、排出されないように構成されていてもよい。
【００４２】
・押さえ部材４０は省略されていてもよい。すなわち、ガス抜きガイド５０を吐水口部材３０に直接接合させることによって、ガス抜きガイド５０を吐水口部材３０に取り付けてもよい。ガス抜きガイド５０を吐水口部材３０に直接接合させる方法としては、例えば、ガス抜きガイド５０と吐水口部材３０の天壁３３とを溶接してもよいし、接着剤を用いて接合してもよい。ガス抜きガイド５０のフランジ部５２を、吐水口部材３０の第２ネジ溝３２ａに螺合させて吐水口部材３０に接合してもよい。また、吐水口部材３０とガス抜きガイド５０とが、一体に構成されていてもよい。この態様では、吐水口部材３０とガス抜きガイド５０とが、流量調整部として機能する。
【００４３】
・吐水口部材３０は省略されていてもよい。すなわち、ガス抜きガイド５０を吐水管２０の内側に直接接合して取り付けてもよい。ガス抜きガイド５０を吐水管２０の内側に直接接合する方法としては、例えば、吐水管２０の内側とガス抜きガイド５０の外側とを溶接してもよいし、接着剤を用いて接合してもよい。この態様では、吐水管２０とガス抜きガイド５０とを接合した箇所と、ガス抜きガイド５０とが、流量調整部として機能する。
【００４４】
・本実施形態の逆Ｕ字状の湾曲部２０ｃは、厳密にＵ字を逆にした形状に限定されず、上方に凸となった流通経路を有する形状が含まれるものとする。例えば、逆Ｖ字状や、コ字状の開放部分が下方を向いた形状等が含まれるものとする。
【００４５】
・本実施形態の水栓１０は、キッチンキャビネットのカウンタに配置される水栓１０に限定されない。例えば、洗面所や浴室等で用いられる水栓であってもよい。
・本実施形態は、ガス抜き部材を備える水栓１０として構成されていたが、水栓１０以外にガス抜き構造、及び、ガス抜き部材を適用してもよい。
【００４６】
図８に示すように、例えば、鉛直方向の上方に凸となった流通経路を有する配管である鳥居配管７０にガス抜き構造及びガス抜き部材を適用してもよい。この態様では、複数の配管を接続して鳥居配管７０を形成し、鳥居配管７０を構成する一つの配管の下流端７０ｂに、吐水口部材７１、押さえ部材７２、ガス抜きガイド７３を取り付け、ガス抜きガイド７３の上流端７３ａを鳥居配管７０の湾曲部７０ａに位置させることにより、鳥居配管７０内のガスの滞留を抑制することができる。また、鳥居配管７０を構成する複数の配管を接続する継手の内部に、吐水口部材、押さえ部材、ガス抜きガイドを取り付けてもよい。例えば、継手が管状の本体部を有し、本体部の両端に鳥居配管７０を構成する配管を接続するネジ溝等の接続部を設け、本体部の内部に吐水口部材、押さえ部材、ガス抜きガイドを取り付けてもよい。
【００４７】
・本実施形態の吐水管２０を流通する液体は水に限定されず、液状の有機物や、水以外の液状の無機物であってもよい。また、吐水管２０内に滞留するガスの種類はエアに限定されず、気体状の有機物や、エア以外の気体状の無機物であってもよい。
【符号の説明】
【００４８】
Ｇ…ガス、２０ｃ…湾曲部、２０ｂ…下流端、５０…ガス抜きガイド。
【図１】
2020172781.tif 000003
【図２】
2020172781.tif 000004
【図３】
2020172781.tif 000005
【図４】
2020172781.tif 000006
【図５】
2020172781.tif 000007
【図６】
2020172781.tif 000008
【図７】
2020172781.tif 000009
【図８】
2020172781.tif 000010
【図９】
2020172781.tif 000011